(57)【特許請求の範囲】
【請求項１】
下面に吸込口を有する吸込具本体と、該吸込具本体に回動自在に接続される継手管と、前記吸込具本体の底面から前面にわたって配設される起毛布と、前記吸込具本体の前端部に、前記起毛布に対応して起毛布の前方位置に配設されるブラシ体とを備え、
前記ブラシ体は、ブラシ体が撓んだ状態で、前記起毛布の前端部を覆うように形成したことを特徴とする床用吸込具。
【請求項２】
前記ブラシ体下端を、前記起毛布下面よりも下方に位置させたことを特徴とする請求項１記載の床用吸込具。
【請求項３】
前記ブラシ体を、ブラシ体が撓んだ状態で前記起毛布に重なる位置に配設したことを特徴とする請求項１記載の床用吸込具。
【請求項４】
前記ブラシ体の幅寸法は、前記起毛布の幅寸法よりも大きくしたことを特徴とする請求項１乃至請求項３のいずれかに記載の床用吸込具。
【請求項５】
前記ブラシ体は、低摩擦抵抗性材料にて形成したことを特徴とする請求項１乃至請求項４のいずれかに記載の床用吸込具。
【発明の詳細な説明】
【０００１】
【発明の属する技術分野】
本発明は、電気掃除機に使用される床用吸込具に関する。
【０００２】
【従来の技術】
従来、電気掃除機に使用される床用吸込具は、前後方向への移動性を考慮して底面に車輪が配設されているが、フローリングを掃除する際、フローリングに砂などが落ちていた場合、車輪とフローリングとの間に砂などを噛み込み、特に、床用吸込具を横方向に移動させる際に、砂などによりフローリングを傷つける問題が生じていた。
この欠点を解決するため、例えば実開昭６１−７７９３６号公報（A47L  9／02）等に開示されるごとく、吸込具本体の底面にフェルトや植毛部材を貼着することが考えられる。
【０００３】
しかしながら、フェルトや植毛部材は、比較的摩擦抵抗の大きな絨毯等を掃除する際に、起毛布が引っかかって吸込具本体の移動性が悪くなるとともに、単に吸込具本体に貼着されているだけであるため、掃除中の吸込具本体の前後移動により、フェルトや植毛部材がはがれやすい問題がある。
【０００４】
【発明が解決しようとする課題】
本発明は、上記欠点に鑑みなされたもので、フローリング等の傷付きを防止できる床用吸込具を提供することを課題とする。
【０００５】
【課題を解決するための手段】
本発明は、下面に吸込口を有する吸込具本体と、該吸込具本体に回動自在に接続される継手管と、前記吸込具本体の底面から前面にわたって配設される起毛布と、前記吸込具本体の前端部に、前記起毛布に対応して起毛布の前方位置に配設されるブラシ体とを備え、前記ブラシ体は、ブラシ体が撓んだ状態で、前記起毛布の前端部を覆うように形成したことを特徴とする。
【０００７】
前記ブラシ体下端を、前記起毛布下面よりも下方に位置させることが望ましい。
【０００８】
また、前記ブラシ体は、ブラシ体が撓んだ状態で前記起毛布に重なる位置に配設することが好ましい。
【０００９】
さらに、前記ブラシ体の幅寸法は、前記起毛布の幅寸法よりも大きくするとよい。
【００１０】
また、前記ブラシ体は、低摩擦抵抗性材料にて形成するとよい。
【００１１】
【発明の実施の形態】
本発明の実施の形態を図面に基づいて以下に詳述する。
【００１２】
１は床用吸込具で、上ケース２、下ケース３からなる吸込具本体４と、前記吸込具本体４後部に、上下ケース２、３により挟持され、吸込具本体１に対して左右方向に回転自在な継手管５と、該継手管５に接続され、吸込具本体１に対して上下方向に回動自在な接続管６とから構成されている。
【００１３】
７は前記吸込具本体４の後部中央に配設された支持車輪で、掃除中、床用吸込具を前後移動させる際に、最も力が加わる位置に該支持車輪７を配設することにより、床用吸込具の移動性を向上するようになっている。
【００１４】
８は前記吸込具本体４前方下面前方に形成される吸込口、９は前記吸込口８に連通して吸込具本体４内に形成される回転ブラシ収納室で、該回転ブラシ収納室９に回転ブラシ１０を回転自在に配設している。
【００１５】
１１は前記吸込口８の後部に、吸込口８の略全幅にわたって配設されたサクションキーパーとなるブラシ体で、前記吸込口８の後方からの空気漏れを防止して、吸込力の低下を防止するようになっている。
【００１６】
１２は前記吸込口８の後縁部に配設された補助車輪で、前記吸込具本体４を支持するとともに、吸込具本体４の移動性を向上するようになっている。
【００１７】
１３は前記吸込口８両側に、前記吸込具本体４の底面から前面にわたって貼着された起毛布で、該起毛布１３の下面は、前記吸込具本体４を床面に載置した際に、床面に接触する高さに配設されている。
【００１８】
１４は前記吸込具本体４両側前端部に、前記起毛布１３に対応して配設されたブラシ体で、床面に吸込具本体４を載置して前進させる際に、前記ブラシ体１４が、吸込具本体４後方側、即ち起毛布１３側に撓み、撓んだブラシ体１４の曲面により吸込具本体４が床面上を滑りやすくなり、吸込具本体４の移動性を向上できるとともに、吸込具本体４を左右方向に移動させる際には、該ブラシ体１４にて壁際等の塵埃を掻き出すようになっている。
【００１９】
前記ブラシ体１４は、吸込具本体４を持ち上げた状態で、その下端が前記起毛布１３の下面よりも下方に位置するようになっており、吸込具本体４を床面上で前進させてブラシ体１４が撓んだ際に、ブラシ体１４が確実に起毛布１３の前端部を覆い、起毛布１３の摩擦抵抗を低減して吸込具本体４の移動性を向上できる。
【００２０】
前記ブラシ体１４は、ブラシ体１４が撓んだ状態で、前記起毛布１３に重なる位置と長さに形成しているので、特に絨毯などの摩擦抵抗の大きな被掃除面を掃除する際、ブラシ体１４が確実に起毛布１３の前端部を覆い、起毛布１３の摩擦抵抗を低減して吸込具本体４の移動性を向上できる。
【００２１】
また、前記ブラシ体１４は、前記起毛布１３の幅寸法よりも広く配設されており、ブラシ体１４が撓むと、起毛布１３の全幅にわたって起毛布１３の前端部を覆い、摩擦抵抗の大きな絨毯を掃除する際でも、起毛布１３の摩擦抵抗を低減して吸込具本体４の移動性をより確実に向上できる。
【００２２】
上記構成によると、吸込具本体４の前方底面に起毛布を配設することにより、フローリングを掃除する際、フローリングに砂などが落ちていた場合でも、起毛布１３にて砂を捕捉するため、特に、床用吸込具を横方向に移動させる際に砂などによりフローリングを傷つけるのを防止できるとともに、吸込具本体前端部に起毛布１３に対応してブラシ体１４を配設することにより、特に絨毯等の摩擦抵抗の大きな掃除面で吸込具本体４を前進させると、ブラシ体１４が撓んで起毛布１３の前端部を覆い、撓んだブラシ体１３の曲面により吸込具本体４が床面上を滑りやすくして、吸込具本体４の移動性を向上できる。
【００２３】
また、前記ブラシ体１４は、起毛布１３の前側に配置することにより、床面で吸込具本体４を前進させる際にブラシ体１４により起毛布１３前端部を覆うため、起毛布１３の前端部が床面に接触するのを防止して吸込具本体４の前後移動を繰り返すうちに起毛布１３がはがれるのを防止できる。
【００２４】
前記ブラシ体１４の下端は、起毛布１３の下面よりも長く形成しているため、床面で吸込具本体４を前進させてブラシ体１４が起毛布１３側へ撓んだ場合に、ブラシ体１４が確実に起毛布１３前端部を覆うため、撓んだブラシ体１４の曲面により吸込具本体４が床面上を滑りやすくして、吸込具本体４の移動性を向上できる。
【００２５】
さらに、前記ブラシ体１４は、前記起毛布１３の幅寸法よりも広く配設されているため、ブラシ体１４が撓んで起毛布１３の前端部を全幅にわたって覆い、摩擦抵抗の大きな絨毯を掃除する際でも、起毛布１３の摩擦抵抗を低減して吸込具本体４の移動性をより確実に向上できる。
【００２６】
尚、前記ブラシ体１４は、低摩擦抵抗性のナイロンやフッ素繊維等にて構成すれば、さらに移動性を向上することができる。
【００２７】
【発明の効果】
本発明の請求項１によると、吸込具本体に起毛布を配設することにより、フローリングに砂などが落ちていた場合でも、起毛布にて砂を捕捉するため、フローリングを傷つけるのを防止できるとともに、吸込具本体に起毛布に対応してブラシ体を配設することにより、特に絨毯等の摩擦抵抗の大きな掃除面で吸込具本体を移動させると、ブラシ体が撓んで起毛布を覆い、撓んだブラシ体の曲面により吸込具本体が床面上を滑りやすくして、吸込具本体の移動性を向上できる。
【００２８】
また、ブラシ体を、起毛布の前側に配置することにより、床面で吸込具本体を前進させる際にブラシ体にて起毛布前端部を覆うため、起毛布の前端部が床面に接触するのを防止して起毛布がはがれるのを防止できる。
【００２９】
また、本発明の請求項３によると、ブラシ体の下端を起毛布の下面よりも下方に位置させることにより、床面で吸込具本体を前進させてブラシ体が起毛布側へ撓んだ場合に、ブラシ体が確実に起毛布前端部を覆うため、撓んだブラシ体の曲面により吸込具本体が床面上を滑りやすくなり、吸込具本体の移動性を向上できる。
【００３０】
さらに、本発明の請求項４によると、ブラシ体は、ブラシ体が撓んだ状態で、起毛布に重なる位置に配設しているので、特に絨毯などの摩擦抵抗の大きな被掃除面を掃除する際、ブラシ体が起毛布の前端部を覆い、起毛布の摩擦抵抗を低減して吸込具本体の移動性を向上できる。
【００３１】
また、本発明の請求項５によると、ブラシ体を起毛布の幅寸法よりも広く配設することにより、ブラシ体が撓んで起毛布の前端部を全幅にわたって覆うため、摩擦抵抗の大きな絨毯を掃除する際でも、起毛布の摩擦抵抗を確実に低減して吸込具本体の移動性をより確実に向上できる。
【００３２】
さらに、本発明の請求項６によると、ブラシ体を、低摩擦抵抗性材料にて構成することにより、吸込具本体と掃除面との摩擦抵抗をより低減でき、さらに移動性を向上することができる。
【図面の簡単な説明】
【図１】本発明の床用吸込具の側面図である。
【図２】同床用吸込具の使用状態を示す側面図である。
【図３】同底面図である。
【符号の説明】
４          吸込具本体
５          継手管
８          吸込口
１３          起毛布
１４          ブラシ体
【図１】
0004557464.tif 000002
【図２】
0004557464.tif 000003
【図３】
0004557464.tif 000004